(57)【要約】【課題】給電線の接続確認を短時間で正確かつ容易に行う。【解決手段】複数の装置を接続する送信系給電線と複数の装置を接続する受信系給電線との接続状態を判定する送受信給電線接続判定方法において、送信系初段側から送信された送信系給電線を検査するための試験信号を送信系終段側において受信し、該受信した上記送信系給電線を検査するための試験信号に基づいて送信系給電線の接続状態を判定するとともに、受信系初段側へ受信系給電線を検査するための試験信号を送信する第１のステップと、上記第１のステップにおいて送信された上記受信系給電線を検査するための試験信号を受信系終段側において受信し、該受信した上記受信系給電線を検査するための試験信号に基づいて受信系給電線の接続状態を判定する第２のステップとを有する。【選択図】　　　　図２
2004135232.tif 000002
【特許請求の範囲】
【請求項１】
複数の装置を接続する送信系給電線と複数の装置を接続する受信系給電線との接続状態を判定する送受信給電線接続判定方法において、
送信系初段側から送信された送信系給電線を検査するための試験信号を送信系終段側において受信し、該受信した前記送信系給電線を検査するための試験信号に基づいて送信系給電線の接続状態を判定するとともに、受信系初段側へ受信系給電線を検査するための試験信号を送信する第１のステップと、
前記第１のステップにおいて送信された前記受信系給電線を検査するための試験信号を受信系終段側において受信し、該受信した前記受信系給電線を検査するための試験信号に基づいて受信系給電線の接続状態を判定する第２のステップと
を有する送受信給電線接続判定方法。
【請求項２】
アンテナを含む複数の装置を接続する送信系給電線とアンテナを含む複数の装置を接続する受信系給電線との接続状態を判定する送受信給電線接続判定方法において、
送信系初段側から送信された送信系給電線を検査するための試験信号を送信系終段側のアンテナを介して受信し、該受信した前記送信系給電線を検査するための試験信号に基づいて送信系給電線の接続状態を判定するとともに、受信系初段側のアンテナを介して受信系給電線を検査するための試験信号を送信する第１のステップと、
前記第１のステップにおいて送信された前記受信系給電線を検査するための試験信号を受信系終段側において受信し、該受信した前記受信系給電線を検査するための試験信号に基づいて受信系給電線の接続状態を判定する第２のステップと
を有する送受信給電線接続判定方法。
【請求項３】
請求項１または請求項２のいずれか１項に記載の送受信給電線接続判定方法において、
前記送信系給電線を検査するための試験信号は、外部から送信系初段側へ入力される
ものである送受信給電線接続判定方法。
【請求項４】
送信系給電線を検査するための試験信号を受信する受信手段と、
前記受信手段により受信された前記送信系給電線を検査するための試験信号に基づいて送信系給電線の接続状態を判定する判定手段と、
受信系給電線を検査するための試験信号を生成する生成手段と、
前記生成手段が生成した前記受信系給電線を検査するための試験信号を送信する送信手段と
を有する信号折り返し装置。
【請求項５】
請求項４に記載の信号折り返し装置において、
前記受信手段は、送信系初段側から送信された送信系給電線を検査するための試験信号を送信系終段側のアンテナを介して受信する
ものである信号折り返し装置。
【請求項６】
請求項５に記載の信号折り返し装置において、
前記受信手段は、送信系初段側から送信された送信系給電線を検査するための試験信号を送信系終段側のアンテナを介して受信する測定用アンテナから受信し、
前記送信手段は、前記測定用アンテナを介して前記受信系給電線を検査するための試験信号を送信する
ものである信号折り返し装置。
【請求項７】
複数の装置を接続する送信系給電線と複数の装置を接続する受信系給電線との接続状態を判定する送受信給電線接続判定装置において、
送信系初段側から送信された送信系給電線を検査するための試験信号を送信系終段側において受信する第１の受信手段と、前記第１の受信手段により受信された前記送信系給電線を検査するための試験信号に基づいて送信系給電線の接続状態を判定する第１の判定手段と、受信系給電線を検査するための試験信号を生成する生成手段と、前記生成手段が生成した前記受信系給電線を検査するための試験信号を受信系初段側へ送信する送信手段とを有する信号折り返し装置と、
前記信号折り返し装置から送信された前記受信系給電線を検査するための試験信号を受信系終段側において受信する第２の受信手段と、前記第２の受信手段により受信された前記受信系給電線を検査するための試験信号に基づいて受信系給電線の接続状態を判定する第２の判定手段とを有する折り返し信号判定装置と
を有する送受信給電線接続判定装置。
【請求項８】
アンテナを含む複数の装置を接続する送信系給電線とアンテナを含む複数の装置を接続する受信系給電線との接続状態を判定する送受信給電線接続判定装置において、
送信系初段側から送信された送信系給電線を検査するための試験信号を送信系終段側のアンテナを介して受信して外部に送信するとともに、受信系給電線を検査するための試験信号を受信して外部に送信する測定用アンテナと、
前記測定用アンテナから送信された前記送信系給電線を検査するための試験信号を受信する第１の受信手段と、前記第１の受信手段により受信された前記送信系給電線を検査するための試験信号に基づいて送信系給電線の接続状態を判定する第１の判定手段と、前記受信系給電線を検査するための試験信号を生成する生成手段と、前記生成手段が生成した前記受信系給電線を検査するための試験信号を前記測定用アンテナへ送信する送信手段とを有する信号折り返し装置と、
前記測定用アンテナから送信された前記受信系給電線を検査するための試験信号を前記送信系終段側のアンテナを介して受信系終段側において受信する第２の受信手段と、前記第２の受信手段により受信された前記受信系給電線を検査するための試験信号に基づいて受信系給電線の接続状態を判定する第２の判定手段とを有する折り返し信号判定装置と
を有する送受信給電線接続判定装置。
【請求項９】
請求項８に記載の送受信給電線接続判定装置において、
前記測定用アンテナと前記信号折り返し装置とは、接続ケーブルを介して着脱自在に接続された
ものである送受信給電線接続判定装置。
【請求項１０】
請求項７、請求項８または請求項９のいずれか１項に記載の送受信給電線接続判定装置において、さらに、
前記送信系給電線を検査するための試験信号を発生する送信系試験信号発生装置と
を有し、
前記送信系給電線を検査するための試験信号は、前記送信系試験信号発生装置から送信系初段側へ入力される
ものである送受信給電線接続判定装置。
【請求項１１】
ベース部材と、
前記ベース部材の背面側に配設されたジョイント部と、
前記ベース部材の正面側に配設されたアンテナ基板と、
前記ベース部材の正面側に配置されて前記アンテナ基板を外部から遮蔽するレドームと、
前記ベース部材との間で前記レドームの外周部を挟持するようにしてレドームを前記ベース部材に取り付けるフレームと
を有し、
前記フレームに同一の高さを備えた複数の突出体が形成された
ものである測定用アンテナ。
【請求項１２】
請求項１１に記載の測定用アンテナにおいて、
前記ジョイント部は回動自在とされた
ものである測定用アンテナ。
【発明の詳細な説明】
【０００１】
【発明の属する技術分野】
本発明は、送受信給電線接続判定方法、送受信給電線接続判定装置、信号折り返し装置および測定用アンテナに関し、さらに詳細には、送信系と受信系とを備えた設備の給電線の接続点検の際に用いて好適な送受信給電線接続判定方法、送受信給電線接続判定装置、信号折り返し装置および測定用アンテナに関し、特に、移動体通信システムにおける移動体通信用基地局設備などのように複数の装置を接続した送信系と複数の装置を接続した受信系とを設備として有する送受信系設備の設置工事の際に用いて好適な送受信給電線接続判定方法、送受信給電線接続判定装置、信号折り返し装置および測定用アンテナに関する。
【０００２】
【従来の技術】
一般に、移動体通信システムにおいては、多数の移動体通信用基地局が設置されている。
【０００３】
図１には、こうした移動体通信用基地局の概略構成の一例を表すブロック構成図が示されている。
【０００４】
即ち、移動体通信用基地局においては、複数の装置を接続した送信系と複数の装置を接続した受信系とを設備として有する送受信系設備が、例えば、変復調装置や送受信増幅装置などを含む無線装置１００と、給電線共用器などを含む屋内装置１０２と、給電線共用器や屋外受信増幅器やチルトボックスなどを含む屋外装置１０４と、送受信を行うためのアンテナ１０６とにより構築されている。
【０００５】
そして、一般に、無線装置１００と屋内装置１０２とは収容かん内に配置されて屋内に置かれ、一方、アンテナ１０６は収容かん外の屋外の高所に配置され、屋外装置１０４はアンテナ１０６の近傍の収容かん外の屋外の高所に配置されている。
【０００６】
これら無線装置１００と屋内装置１０２とは送信系給電線２００ａならびに受信系給電線２００ｂにより接続されており、屋内装置１０２と屋外装置１０４とは送信系給電線２０２ａならびに受信系給電線２０２ｂにより接続されており、屋外装置１０４とアンテナ１０６とは送信系給電線と受信系給電線とを共用化した給電線（以下、「送信系給電線と受信系給電線とを共用化した給電線」を「送受信系共通給電線」と称する。即ち、「送受信系共通給電線」は、「送信系給電線」と「受信系給電線」との機能を有するものであり、送信系の信号および受信系の信号が通る。従って、本明細書においては、特段の説明のない限りは、「送信系給電線」には「送受信系共通給電線」が含まれ、「受信系給電線」には「送受信系共通給電線」が含まれるものとする。）２０４により接続されており、また、無線装置１００、屋内装置１０２ならびに屋外装置１０４をそれぞれ構成する各装置間も受信系給電線ならびに送信系給電線によりそれぞれ接続されている。
【０００７】
なお、送受信系設備において、チルトボックスは、分配器と同じ構造で屋外受信増幅器からの送信信号を複数に分配し（図１に示す例においては、６つに分配している。）、複数本（図１に示す例においては、６本である。）の送受信系共通給電線２０４によりアンテナ１０６に送っている。
【０００８】
ここで、アンテナ１０６の内部は複数個（図１に示す例においては、６個である。）の小さなアンテナで構成されており、チルトボックスからの各送受信系共通給電線２０４のそれぞれに各小さなアンテナがそれぞれ接続される。
【０００９】
即ち、この図１に示す送受信系設備においては、送受信系共通給電線２０４はチルトボックスで分配された信号をアンテナ１０６側へ送るためのケーブルである。また、アンテナ１０６側からの信号は、送受信系共通給電線２０４を通ってチルトボックスへ送られる。
【００１０】
なお、アンテナ１０６から送られてきた信号はチルトボックスで合成され、屋外受信増幅器へ送出される。
【００１１】
そして、屋外受信増幅器のチルトボックス側の端子は送受信系共通端子であり、送受信の信号は屋外受信増幅器内の送受共用器で分配または合成される。
【００１２】
ところで、上記した無線装置１００、屋内装置１０２、屋外装置１０４ならびにアンテナ１０６は、移動体通信において使用する無線周波数帯によってはその構成する装置数が増加し、それとともに、無線装置１００と屋内装置１０２と屋外装置１０４とアンテナ１０６とのそれぞれの間や、無線装置１００、屋内装置１０２ならびに屋外装置１０４をそれぞれ構成する各装置間を接続する給電線（受信系給電線ならびに送信系給電線）はますます複雑になってきている。
【００１３】
特に、首都圏や主要都市圏の移動体通信用基地局は、その装置構成が複雑を極め、給電線の総数は数十本にもなるような場合がしばしば見られる。
【００１４】
従来、こうした移動体通信用基地局における給電線の接続確認は、以下のようにして行われていた。
【００１５】
即ち、送信系給電線の接続確認を行うには、送信系終段側、即ち、収容かん外の屋外にある装置（例えば、屋外装置１０４の屋外受信増幅器である。）の送信出力端子（図１における測定点Ａ）に測定装置（例えば、スペクトラムアナライザである。）を接続し、送信系初段側、即ち、屋内の収容かん内にある装置（例えば、無線装置１００の変復調装置である。）から発信した信号を測定点Ａにおいて当該測定装置を用いて測定し、その測定結果に基づいて送信系給電線の接続状態を判定するようになされていた。
【００１６】
一方、受信系給電線の接続確認を行うには、受信系終段側、即ち、屋内の収容かん内にある装置（例えば、無線装置１００の送受信増幅器である。）の受信入力接続ケーブル出力端子（図１における測定点Ｂ）に測定装置（例えば、ネットワークアナライザである。）を接続し、受信系初段側、即ち、収容かん外の屋外にある装置（例えば、屋外装置１０４の屋外受信増幅器である。）の受信出力端子（図１における位置Ｃ）を短絡または開放し、そのときの測定点Ｂにおける信号の波形の変化を当該測定装置を用いて測定し、その測定波形の変化に基づいて受信系給電線の接続状態を判定するようになされていた。
【００１７】
また、屋外装置１０４とアンテナ１０６との間の送受信系共通給電線２０４の接続確認は、作業者の目視により行われていた。
【００１８】
しかしながら、従来の給電線の接続確認の手法においては、上記したように送信系給電線の接続確認と受信系給電線の接続確認とを別々の系統で実施しなければならないため、給電線の接続確認のための作業時間に長時間を要するという問題点があった。
【００１９】
また、従来の給電線の接続確認の手法においては、受信系給電線の接続確認の際に、測定波形の変化に基づいて受信系給電線の接続状態を判定するため、正確な判定を行うことが困難であるという問題点があった。
【００２０】
さらに、従来の給電線の接続確認の手法においては、作業者の目視により屋外装置とアンテナとの間の給電線の接続確認を行っていたため、誤配線を作業者が見落とす恐れがあるという問題点があった。
【００２１】
さらにまた、従来の給電線の接続確認の手法においては、送信系給電線の接続確認を行う際に、大きく重い測定器を屋外のアンテナ近傍の高所に設置されている送信系終段側の装置（例えば、屋外装置の屋外受信増幅器である。）の送信出力端子の場所まで運搬しなければならないという問題点があった。
【００２２】
【発明が解決しようとする課題】
本発明は、上記したような従来の技術の有する種々の問題点に鑑みてなされたものであり、その目的とするところは、給電線の接続確認を短時間で正確かつ容易に行うことができるようにした送受信給電線接続判定方法、送受信給電線接続判定装置、信号折り返し装置および測定用アンテナを提供しようとするものである。
【００２３】
より具体的には、本発明の目的とするところは、移動体通信用基地局工事において、各装置間に接続された給電線の良否判定（誤接続があるか否かの判定）を短時間で容易かつ正確に行うことを可能にした送受信給電線接続判定方法、送受信給電線接続判定装置、信号折り返し装置および測定用アンテナを提供しようとするものである。
【００２４】
換言すれば、本発明の目的とするところは、給電線の接続確認のための作業時間を短縮化することのできる送受信給電線接続判定方法、送受信給電線接続判定装置、信号折り返し装置および測定用アンテナを提供しようとするものである。
【００２５】
また、本発明の目的とするところは、給電線の接続確認を波形変化の判定や目視によらずに正確に行うことのできる送受信給電線接続判定方法、送受信給電線接続判定装置、信号折り返し装置および測定用アンテナを提供しようとするものである。
【００２６】
さらに、本発明の目的とするところは、大きく重い測定器をアンテナ近傍の高所に設置されている送信系終段側の装置（例えば、屋外装置の屋外受信増幅器である。）の送信出力端子の場所まで運搬する必要のない送受信給電線接続判定方法、送受信給電線接続判定装置、信号折り返し装置および測定用アンテナを提供しようとするものである。
【００２７】
【課題を解決するための手段】
上記目的を達成するために、本発明は、送信系初段側からの信号を送信系終段側で受信して判定するとともに、受信系初段側に入力した折り返し信号を受信系終段側で受信して判定する手法を提案するものである。
【００２８】
この手法によれば、送信系給電線の接続確認と受信系給電線の接続確認とを一括して行うことが可能となり、給電線の接続確認を短時間で正確かつ容易に行うことができるようになる。
【００２９】
また、本発明は、上記した手法に用いることができる信号折り返し装置ならびに測定用アンテナを提案する。
【００３０】
即ち、本発明のうちの請求項１に記載の発明は、複数の装置を接続する送信系給電線と複数の装置を接続する受信系給電線との接続状態を判定する送受信給電線接続判定方法において、送信系初段側から送信された送信系給電線を検査するための試験信号を送信系終段側において受信し、該受信した上記送信系給電線を検査するための試験信号に基づいて送信系給電線の接続状態を判定するとともに、受信系初段側へ受信系給電線を検査するための試験信号を送信する第１のステップと、上記第１のステップにおいて送信された上記受信系給電線を検査するための試験信号を受信系終段側において受信し、該受信した上記受信系給電線を検査するための試験信号に基づいて受信系給電線の接続状態を判定する第２のステップとを有するようにしたものである。
【００３１】
また、本発明のうちの請求項２に記載の発明は、アンテナを含む複数の装置を接続する送信系給電線とアンテナを含む複数の装置を接続する受信系給電線との接続状態を判定する送受信給電線接続判定方法において、送信系初段側から送信された送信系給電線を検査するための試験信号を送信系終段側のアンテナを介して受信し、該受信した上記送信系給電線を検査するための試験信号に基づいて送信系給電線の接続状態を判定するとともに、受信系初段側のアンテナを介して受信系給電線を検査するための試験信号を送信する第１のステップと、上記第１のステップにおいて送信された上記受信系給電線を検査するための試験信号を受信系終段側において受信し、該受信した上記受信系給電線を検査するための試験信号に基づいて受信系給電線の接続状態を判定する第２のステップとを有するようにしたものである。
【００３２】
また、本発明のうちの請求項３に記載の発明は、本発明のうちの請求項１または請求項２のいずれか１項に記載の発明において、上記送信系給電線を検査するための試験信号は、外部から送信系初段側へ入力されるようにしたものである。
【００３３】
また、本発明のうちの請求項４に記載の発明は、送信系給電線を検査するための試験信号を受信する受信手段と、上記受信手段により受信された上記送信系給電線を検査するための試験信号に基づいて送信系給電線の接続状態を判定する判定手段と、受信系給電線を検査するための試験信号を生成する生成手段と、上記生成手段が生成した上記受信系給電線を検査するための試験信号を送信する送信手段とを有するようにしたものである。
【００３４】
また、本発明のうちの請求項５に記載の発明は、本発明のうちの請求項４に記載の発明において、上記受信手段は、送信系初段側から送信された送信系給電線を検査するための試験信号を送信系終段側のアンテナを介して受信するようにしたものである。
【００３５】
また、本発明のうちの請求項６に記載の発明は、本発明のうちの請求項５に記載の発明において、上記受信手段は、送信系初段側から送信された送信系給電線を検査するための試験信号を送信系終段側のアンテナを介して受信する測定用アンテナから受信し、上記送信手段は、上記測定用アンテナを介して上記受信系給電線を検査するための試験信号を送信するようにしたものである。
【００３６】
また、本発明のうちの請求項７に記載の発明は、複数の装置を接続する送信系給電線と複数の装置を接続する受信系給電線との接続状態を判定する送受信給電線接続判定装置において、送信系初段側から送信された送信系給電線を検査するための試験信号を送信系終段側において受信する第１の受信手段と、上記第１の受信手段により受信された上記送信系給電線を検査するための試験信号に基づいて送信系給電線の接続状態を判定する第１の判定手段と、受信系給電線を検査するための試験信号を生成する生成手段と、上記生成手段が生成した上記受信系給電線を検査するための試験信号を受信系初段側へ送信する送信手段とを有する信号折り返し装置と、上記信号折り返し装置から送信された上記受信系給電線を検査するための試験信号を受信系終段側において受信する第２の受信手段と、上記第２の受信手段により受信された上記受信系給電線を検査するための試験信号に基づいて受信系給電線の接続状態を判定する第２の判定手段とを有する折り返し信号判定装置とを有するようにしたものである。
【００３７】
また、本発明のうちの請求項８に記載の発明は、アンテナを含む複数の装置を接続する送信系給電線とアンテナを含む複数の装置を接続する受信系給電線との接続状態を判定する送受信給電線接続判定装置において、送信系初段側から送信された送信系給電線を検査するための試験信号を送信系終段側のアンテナを介して受信して外部に送信するとともに、受信系給電線を検査するための試験信号を受信して外部に送信する測定用アンテナと、上記測定用アンテナから送信された上記送信系給電線を検査するための試験信号を受信する第１の受信手段と、上記第１の受信手段により受信された上記送信系給電線を検査するための試験信号に基づいて送信系給電線の接続状態を判定する第１の判定手段と、上記受信系給電線を検査するための試験信号を生成する生成手段と、上記生成手段が生成した上記受信系給電線を検査するための試験信号を上記測定用アンテナへ送信する送信手段とを有する信号折り返し装置と、上記測定用アンテナから送信された上記受信系給電線を検査するための試験信号を上記送信系終段側のアンテナを介して受信系終段側において受信する第２の受信手段と、上記第２の受信手段により受信された上記受信系給電線を検査するための試験信号に基づいて受信系給電線の接続状態を判定する第２の判定手段とを有する折り返し信号判定装置とを有するようにしたものである。
【００３８】
また、本発明のうちの請求項９に記載の発明は、本発明のうちの請求項８に記載の発明において、上記測定用アンテナと上記信号折り返し装置とは、接続ケーブルを介して着脱自在に接続されるようにしたものである。
【００３９】
また、本発明のうちの請求項１０に記載の発明は、本発明のうちの請求項７、請求項８または請求項９のいずれか１項に記載の発明において、さらに、上記送信系給電線を検査するための試験信号を発生する送信系試験信号発生装置とを有し、上記送信系給電線を検査するための試験信号は、上記送信系試験信号発生装置から送信系初段側へ入力されるようにしたものである。
【００４０】
また、本発明のうちの請求項１１に記載の発明は、ベース部材と、上記ベース部材の背面側に配設されたジョイント部と、上記ベース部材の正面側に配設されたアンテナ基板と、上記ベース部材の正面側に配置されて上記アンテナ基板を外部から遮蔽するレドームと、上記ベース部材との間で上記レドームの外周部を挟持するようにしてレドームを上記ベース部材に取り付けるフレームとを有し、上記フレームに同一の高さを備えた複数の突出体を形成したものである。
【００４１】
また、本発明のうちの請求項１２に記載の発明は、本発明のうちの請求項１１に記載の発明において、上記ジョイント部を回動自在としたものである。
【００４２】
なお、上記したように、「送受信系共通給電線」は「送信系給電線」と「受信系給電線」との機能を有するものであり、「送信系給電線」には「送受信系共通給電線」が含まれ、「受信系給電線」には「送受信系共通給電線」が含まれるものであるので、本発明の各請求項における「送信系給電線」も「送受信系共通給電線」を含み、本発明の各請求項における「受信系給電線」も「送受信系共通給電線」を含む。
【００４３】
【発明の実施の形態】
以下、添付の図面に基づいて、本発明による送受信給電線接続判定方法、送受信給電線接続判定装置、信号折り返し装置および測定用アンテナの実施の形態の一例について詳細に説明するものとする。
【００４４】
図２には、本発明による送受信給電線接続判定装置を移動体通信用基地局における給電線の接続確認に用いた場合の一例のブロック構成図が示されている。
【００４５】
なお、図２において、図１に示す構成と同一または相当する構成については、図１において用いた符号と同一の符号を付して示すことにより、その構成ならびに作用の詳細な説明は省略する。
【００４６】
この図２に示す送受信給電線接続判定装置は、アンテナ１０６から放射される送信信号を受信する測定用アンテナ１０と、測定用アンテナ１０と接続ケーブル２９により接続された信号折り返し装置５０と、信号折り返し装置５０から送信された折り返し信号を受信して判定する折り返し信号判定装置７０とを有して構成されている。
【００４７】
ここで、折り返し信号判定装置７０は、例えば、図２に示すように、受信系終段側、即ち、屋内の収容かん内にある装置（例えば、無線装置１００の送受信増幅器である。）の受信入力接続ケーブル出力端子（図１における測定点Ｂ）に接続される。
【００４８】
なお、折り返し信号判定装置７０は、後述するように、受信系最終段の装置（例えば、無線装置１００の変復調装置である。）の受信入力接続ケーブル出力端子に折り返し信号判定装置７０を接続するようにしてもよい（図２１参照）。
【００４９】
ここで、図３には測定用アンテナ１０の正面斜視図が示されており、図４には測定用アンテナ１０の背面斜視図が示されており、図５にはジョイント部１４にストラップ４２を取り付けた状態における測定用アンテナ１０の背面斜視図が示されており、図６はレド−ム２２を一部破断して内部構造を示した測定用アンテナ１０の正面図が示されており、図７にはコネクタカバー２０を一部破断して内部構造を示した測定用アンテナ１０の背面図が示されており、図８には測定用アンテナ１０の左側面図が示されており、図９には測定用アンテナ１０の下面図が示されており、図１０には測定用アンテナ１０の図７のＸ−Ｘ線による概略断面構成図が示されている。
【００５０】
この測定用アンテナ１０は、全体が扁平な長方体状の形状を備えており、正面視ならびに背面視において略矩形状をした扁平な長方体状のベース部材１２と、ベース部材１２の背面側の略中央部位に配設されたジョイント部１４と、ベース部材１２の正面側に配設された扁平な長方体状のアンテナ基板１６と、アンテナ基板１６からベース部材１２の背面側に引き出されたアンテナケーブルが接続されたアンテナコネクタ１８と、アンテナコネクタ１８を外部の風雨などから遮蔽して保護するためのコネクタカバー２０と、ベース部材１２の正面側に配置されてアンテナ基板１６を外部の風雨などから遮蔽して保護するための扁平な長方体状のレドーム２２と、ベース部材１２との間でレドーム２２の外周部を挟持するようにしてレドーム２２をベース部材１２に取り付ける矩形枠状のフレーム２４とを有して構成されている。
【００５１】
なお、符号２６はベース部材１２とフレーム２４とを固定するためのネジであり、符号２８は作業者が把持するためのハンドルであり（作業者は、このハンドル２８を把持して測定用アンテナ１０を運搬したり、あるいは、このハンドル２８を把持して後述する測定作業を行うことができる。）、符号２９はアンテナコネクタ１８と信号折り返し装置５０とを接続するための接続ケーブルである。
【００５２】
ジョイント部１４は、ヒンジ部１４ａと、ヒンジ部１４ａに取り付けられた延長シャフト取り付け部１４ｂとを有して構成されている。延長シャフト取り付け部１４ｂは、ヒンジ部１４ａを回動中心として矢印Ｄ方向（図１０参照）に示すように上下方向に回動自在とされている。
【００５３】
なお、延長シャフト取り付け部１４ｂには、作業の内容に応じて延長シャフト４０が取り付け可能となされている（図１６参照）。
【００５４】
また、延長シャフト取り付け部１４ｂには、作業者が測定用アンテナ１０を把持して作業する際において、作業者が測定用アンテナ１０を落下することを防止するために、ストラップ４２が取り付け可能となされている。
【００５５】
フレーム２４は、その矩形枠状の上辺部２４ａと下辺部２４ｂとのそれぞれに、所定の間隙Ｗ（図６参照）を開けての一対の突出部３０を形成している。これら突出部３０の頂部には、アンテナ１０６のレドーム１０６ａ（図１６ならびに図１７参照）上を摺接して移動する際の抵抗を低減するとともにフレーム２４の摩耗を防ぐために、頂部を平滑に形成されたリベット３２が取り付けられている。
【００５６】
また、これらフレーム２４の上辺部２４ａと下辺部２４ｂとのそれぞれに形成された４個の突出部３０に取り付けた４個のリベット３２の高さＨ（図９参照）は、全て共通に設定されている。
【００５７】
従って、図１６乃至図１７を参照しながら後述するように、給電線接続の確認作業において測定用アンテナ１０のリベット３２側をアンテナ１０６のレドーム１０６ａと接触させた際に、アンテナ１０６のレドーム１０６ａ上のいずれの箇所においても、高さＨに応じた一定の間隔を開けて測定用アンテナ１０をアンテナ１０６のレドーム１０６ａ上に当接して位置させることができる。
【００５８】
即ち、これら突出部３０ならびにリベット３２により、フレーム２４上に同一の高さを有する複数の突出体が形成されることになり、これら複数の突出体は、アンテナ１０６のレドーム１０６ａ上における測定用アンテナ１０の移動の際のガイドとなる。
【００５９】
このため、測定用アンテナ１０を用いた場合には、作業者がアンテナ１０６と測定用アンテナ１０との間隔を常に一定に保つことが可能となり、アンテナ１０６と測定用アンテナ１０との間隔の変化に伴い発生する、測定用アンテナ１０が受信するアンテナ１０６からの送信信号のバラツキを最小限に抑えることができるようになる。
【００６０】
従って、後述するように、測定用アンテナ１０を用いると、施工中のアンテナ１０６の特性の良否や給電線の誤配線の有無を、アンテナ１０６の位置や向きによらず測定が可能になる。
【００６１】
また、ジョイント部１４が上下方向（矢印Ｄ方向）に回動するので、作業者が自ら移動することなく測定用アンテナ１０を所望の方向に容易に移動することができ、様々な角度に向いたアンテナ１０６の測定が可能となる。
【００６２】
即ち、限られたスペースの中での作業時においても、作業者は移動することなしに、測定用アンテナをアンテナ１０６のレドーム１０６ａ上で広範囲に移動させることができる。
【００６３】
次に、図１１ならびに図１２を参照しながら、信号折り返し装置５０について説明する。なお、図１１には信号折り返し装置５０の外観正面斜視図が示されており、図１２には信号折り返し装置５０のブロック構成図が示されている。
【００６４】
この信号折り返し装置５０は、測定用アンテナ１０や送信系終段側ならびに受信系初段側（送信系終段側は受信系初段側になる。）、即ち、収容かん外の屋外にある装置（例えば、屋外装置１０４の屋外受信増幅器やチルトボックスである。）などとの間で信号（例えば、送信系給電線を検査するための試験信号である。）の送受信を行う送受共用器５０ａと、送受共用器５０ａで受信した送信信号を増幅する前置増幅器５０ｂと、前置増幅器５０ｂで増幅した送信信号のレベルを電力検波器５０ｄ（後述する。）における処理のために適当な値に減衰する可変減衰器５０ｃと、可変減衰器５０ｃから出力された送信信号を検波する電力検波器５０ｄと、電力検波器５０ｄで検波された送信信号のレベルを判定して当該判定結果に応じて判定表示装置５０ｈ（後述する。）を制御する制御信号を出力するとともに発振器５０ｆ（後述する。）の発振を制御する制御信号を出力するレベル判定器５０ｅと、レベル判定器５０ｅからの制御信号に基づいて受信系給電線を検査するための試験信号を可変制御して発振する発振器５０ｆと、発振器５０ｆにより発振された受信系給電線を検査するための試験信号を送受共用器５０ａが送信するのに適したレベルに減衰する可変減衰器５０ｇとを有して構成されている。
【００６５】
そして、可変減衰器５０ｇにより減衰された受信系給電線を検査するための試験信号は、送受共用器５０ａにより測定用アンテナ１０や送信系終段側ならびに受信系初段側（送信系終段側は受信系初段側になる。）、即ち、収容かん外の屋外にある装置（例えば、屋外装置１０４の屋外受信増幅器やチルトボックスである。）などへ送信される。本明細書においては、このようにして送受共用器５０ａから外部へ送信される受信系給電線を検査するための試験信号を折り返し信号と適宜に称する。
【００６６】
なお、レベル判定器５０ｅには、レベル判定器５０ｅからの制御信号に基づきレベル判定器５０ｅによる判定結果に応じてランプの点滅などにより表示態様を変更する表示器５０ｈｈ（図１１参照）や音声を出力する音声出力器などを備えた判定表示装置５０ｈが接続されており、作業者はレベル判定器５０ｅによる判定結果を容易に確認できる。
【００６７】
即ち、この信号折り返し装置５０は、送受信共用器５０ａで受信した送信信号を前置増幅器５０ｂで増幅し、さらに可変減衰器５０ｃで適当に減衰し、その減衰した送信信号レベルを電力検出器５０ｄで検出し、その検波信号をレベル判定器５０ｅで判定し、レベル判定器５０ｅからの制御信号により発振器５０ｆを制御して発振する受信系給電線を検査するための試験信号を変える。この発振器５０ｆが発振する試験信号を変えるには、例えば、レベル判定器５０ｅからの制御信号により発振器５０ｆをオン／オフ制御すればよい。
【００６８】
そして、発振器５０ｆが発振する試験信号を可変減衰器５０ｇにより適当に減衰し、送受共用器５０ａから折り返し信号として送信する。
【００６９】
このように、この信号折り返し装置５０は、測定用アンテナ１０や送信系終段側ならびに受信系初段側（送信系終段側は受信系初段側になる。）、即ち、収容かん外の屋外にある装置（例えば、屋外装置１０４の屋外受信増幅器やチルトボックスである。）などとの間で、送信信号を受信するとともに折り返し信号を送信する処理を行うのみであるので、装置全体を容易に小型化することができ、また、消費電力も小さくすることができ電池搭載型に構成することもできる。
【００７０】
従って、信号折り返し装置５０は、作業者が容易にアンテナ１０６の近傍まで運搬することができるようになる。
【００７１】
次に、図１３乃至図１５を参照しながら、折り返し信号判定装置７０について説明する。なお、図１３には折り返し信号判定装置７０の外観正面斜視図が示されており、図１４には折り返し信号判定装置７０の外観背面斜視図が示されており、図１５には折り返し信号判定装置７０のブロック構成図が示されている。
【００７２】
この折り返し信号判定装置７０は、入力された信号の中から折り返し信号のみを通過させるＢＰＦ（バンドパスフィルタ）７０ａと、ＢＰＦ７０ａを通過した折り返し信号のレベルを電力検波器７０ｃ（後述する。）における処理のために適当な値に減衰する可変減衰器７０ｂと、可変減衰器７０ｂから出力された折り返し信号を検波する電力検波器７０ｃと、電力検波器７０ｃで検波された折り返し信号のレベルを判定して当該判定結果を出力するレベル判定器７０ｄと、レベル判定器７０ｄによる判定結果に応じて数値表示などによる表示態様を変更する表示器７０ｅｅや音声を出力する音声出力器などを備えた判定表示装置７０ｅとを有して構成されている。
【００７３】
即ち、この折り返し信号判定装置７０は、受信系給電線を通過する信号を受信して、当該受信した信号の中から信号折り返し装置５０から送信され折り返し信号のみを通すＢＰＦ７０ａにより通過させ、ＢＰＦ７０ａにより通過させた折り返し信号を可変減衰器７０ｂにより適当に減衰してから電力検波器７０ｃで電力検波を行い、その出力をレベル判定器７０ｄで判定し、当該判定結果を判定表示装置７０ｅの表示器７０ｅｅで表示したり、外部の記録計に出力したりする。
【００７４】
以上の構成において、送受信給電線接続判定装置を用いて給電線の接続確認を行うには、まず、図２に示すように、受信系終段側、即ち、屋内の収容かん内にある装置（例えば、無線装置１００の送受信増幅器である。）の受信入力接続ケーブル端子（図１における測定点Ｂ）に折り返し信号判定装置７０を接続する。
【００７５】
一方、測定用アンテナ１０と信号折り返し装置５０とを接続ケーブル２９で接続するとともに、測定用アンテナ１０をアンテナ１０６のレドーム１０６ａに当接する。
【００７６】
ここで、測定用アンテナ１０をアンテナ１０６のレドーム１０６ａに当接する際に、例えば、アンテナ１０６が上記したように内部に複数の小さなアンテナ（図２に示すアンテナ１０６は、図１に関して「従来の技術」の項で説明したように、６個の小さなアンテナを備えている。）を備えるものである場合には、複数の小さなアンテナのいずれかの近傍に配置することが好ましい。このようにすることにより、アンテナ１０６の内部の小さなアンテナのそれぞれについて、それぞれ独立して給電線の接続確認を行うことができるようになる。
【００７７】
なお、測定用アンテナ１０をアンテナ１０６のレドーム１０６ａに当接する作業は、作業者が行うものとする。
【００７８】
図１６には、電柱３００の上端に配設されたアンテナ１０６の円筒状のレドーム１０６ａの外周上に、作業者が延長シャフト４０を取り付けた測定用アンテナ１０を当接させている作業状態が示されている。
【００７９】
ここで、アンテナ１０６は扁平な長方体形状を備えており、円筒状のレドーム１０６ａ内において、円筒状のレドーム１０６ａの軸方向に沿って等間隔に３個配置されている。（図１６ならびに図１６のＡ矢視概略説明図である図１７参照）。より詳細には、３個のアンテナ１０６は、図１７に示すように、それぞれが正三角柱の外周面を形成するようにして、レドーム１０６ａの軸方向に沿って等間隔に配置されている。
【００８０】
作業者は、給電線接続の確認作業において測定用アンテナ１０のリベット３２側をアンテナ１０６のレドーム１０６ａと接触させた際に、アンテナ１０６のレドーム１０６ａ上のいずれの箇所においても、一定の間隔（高さＨ＋リベット３２から近傍のアンテナ１０６までの距離Ｌ）を開けて測定用アンテナ１０をアンテナ１０６のレドーム１０６ａ上に当接して位置させることができる。
【００８１】
このため、作業者は、測定用アンテナ１０をアンテナ１０６のレドーム１０６ａに押しつけるという単純な作業により、アンテナ１０６と測定用アンテナ１０との間隔を常に一定に保つことが可能となり、アンテナ１０６と測定用アンテナ１０との間隔の変化に伴い発生する、測定用アンテナ１０が受信するアンテナ１０６からの送信信号のバラツキを最小限に抑えることができるようになる。
【００８２】
即ち、測定用アンテナ１０によれば、アンテナ１０６の位置や向きに依存することなく、常に一定の測定条件を確保することが可能になり、施工中のアンテナ１０６の特性の良否や給電線の誤配線の有無を測定することが可能になる。
【００８３】
また、ジョイント部１４が上下方向（矢印Ｄ方向）に回動するので、作業者が動くことなく測定用アンテナ１０を所望の方向に容易に移動することができ、様々な角度に向いたアンテナ１０６の測定が可能となる。
【００８４】
このため、電柱３００上の狭いスペースの中を作業者が移動することなしに、測定用アンテナをアンテナ１０６のレドーム１０６ａ上で広範囲に移動させることができる。
【００８５】
以上のようにして、測定用アンテナをアンテナ１０６のレドーム１０６ａ上に当接させ、送信系初段側の装置である無線装置１００から送信系給電線を検査するための試験信号を送信する。
【００８６】
ここで、一般に無線装置１００は、送信系給電線を検査するための試験信号を発信することができるように構成されているが、無線装置１００が送信系給電線を検査するための試験信号を発信することができない場合には、送信系給電線を検査するための試験信号を発生する送信系試験信号発生装置８０（図２参照）を用いて送信系給電線を検査するための試験信号を生成し、送信系初段側から送信する。
【００８７】
なお、送信系試験信号発生装置８０は、例えば、図１８に示すブロック構成図のように、発振器８０ｂ（後述する。）が発振する送信系給電線を検査するための試験信号の周波数や変調などを制御するための制御信号を出力する制御器８０ａと、制御器８０ａから出力された制御信号に基づいて送信系給電線を検査するための試験信号を発振する発振器８０ｂと、発振器８０ｂにより発振された送信系給電線を検査するための試験信号を送信に適当なレベルに減衰する可変減衰器８０ｃとを有して構成されている。
【００８８】
上記のようにして送信系初段側から送信された送信系給電線を検査するための試験信号は、送信系終段側を経てアンテナ１０６から送信される。具体的には、無線装置１００または送信系試験信号発生装置８０から送信された試験信号は、送信系給電線２００ａ、屋内装置１０２、送信系給電線２０２ａ、屋外装置１０４、送受信系共通給電線２０４を介してアンテナ１０６から送信される。
【００８９】
そして、アンテナ１０６から送信された試験信号は測定用アンテナ１０により受信されて、信号折り返し装置５０のレベル判定器５０ｅにより判定される。
【００９０】
ここで、レベル判定器５０ｅによる判定結果が、送信系給電線の接続に誤接続はないという判定結果である場合には、判定表示装置５０ｈにその旨を表示させて作業者に知らせるとともに、発振器５０ｆにより受信系給電線を検査するための試験信号たる折り返し信号を生成して測定用アンテナ１０から送信する。
【００９１】
一方、レベル判定器５０ｅによる判定結果が、送信系給電線の接続に誤接続があるという判定結果である場合には、判定表示装置５０ｈにその旨を表示させて作業者に知らせる。
【００９２】
なお、この信号折り返し装置５０においては、レベル判定器５０ｅによる判定結果が送信系給電線の接続に誤接続があるという判定結果である場合に、作業者が手動操作により、発振器５０ｆにより受信系給電線を検査するための試験信号たる折り返し信号を生成して測定用アンテナ１０から送信することができるようになされている。
【００９３】
測定用アンテナ１０から送信された折り返し信号は、アンテナ１０６により受信されて受信系初段側から受信系終段側を経て折り返し信号判定装置７０により受信される。具体的には、測定用アンテナから送信された折り返し信号は、送受信系共通給電線２０４、屋外装置１０４、受信系給電線２０２ｂ、屋内装置１０２を経て、屋内装置１０２の送受信増幅器を介して折り返し信号判定装置７０により受信される。
【００９４】
そして、折り返し信号判定装置７０により受信された折り返し信号は、レベル判定器７０ｄにより判定される。
【００９５】
ここで、レベル判定器７０ｄによる判定結果が、受信系給電線の接続に誤接続はないという判定結果である場合には、判定表示装置７０ｅにその旨を表示させて作業者に知らせる。
【００９６】
一方、レベル判定器７０ｄによる判定結果が、受信系給電線の接続に誤接続があるという判定結果である場合には、判定表示装置７０ｅにその旨を表示させて作業者に知らせる。
【００９７】
従って、本発明による送受信給電線接続判定装置を用いて給電線の接続確認を行うと、送信系給電線と受信系給電線との両方の系の給電線の接続確認を短時間の作業時間で確実かつ容易に行うことができる。
【００９８】
即ち、本発明による送受信給電線接続判定装置によれば、複数の装置を接続した送信系と複数の装置を接続した受信系とを設備として持つ送受信系設備の設置工事、また、増設・改装工事において、送信系給電線の接続確認と受信系給電線の接続確認とを別々に測定・判定する必要がなく、送信系給電線の接続確認と受信系給電線の接続確認とを一括して測定・判定することが可能となり、給電線全体の接続確認を短時間で確実かつ容易に行うことができるようになる。
【００９９】
また、その際に、アンテナ１０６まで含めた送信系ならびに受信系全体の接続確認が可能となるので、作業者がアンテナ１０６に対する給電線の接続確認を目視で行う必要がなくなる。
【０１００】
次に、図１９には、送受信給電線接続判定装置を用いた給電線の接続確認の手法の他の実施の形態が示されており、この図１９に示す手法と図２に示す手法とは、図１９に示す手法が測定用アンテナ１０を用いていない点でのみ異なるものである。
【０１０１】
即ち、図１９に示す手法においては、接続ケーブル２９による測定用アンテナ１０と信号折り返し装置５０との接続を解除する。そして、測定用アンテナ１０を用いる代わりに、接続ケーブル９０により信号折り返し装置５０の送受共用器５０ａと送信系終段側ならびに受信系初段側たる送受信共通給電線２０４とを接続するようにしたものである。
【０１０２】
上記した図１９に示す手法によれば、測定用アンテナ１０を用いる必要がないので、送受信給電線接続判定装置全体の構成を簡潔化することができるとともにコストを低減することができる。
【０１０３】
次に、図２０には、図１９に示す手法の変形例を示す他の実施の形態が示されており、この図２０に示す手法と図１９に示す手法とは、接続ケーブル９０の送信系終段側ならびに受信系初段側における接続箇所のみ異なるものである。
【０１０４】
即ち、図２０に示す手法は、接続ケーブル９０により信号折り返し装置５０の送受共用器５０ａと送信系終段側ならびに受信系初段側、即ち、収容かん外の屋外にある装置（例えば、屋外装置１０４の屋外受信増幅器である。）の送受信系共通端子とを接続するようにしたものである。
【０１０５】
上記した図２０に示す手法によれば、アンテナ１０６へ試験信号を送信する必要がないので、試験のためのみに用いる特別な信号を送信系初段側から送信することができる。
【０１０６】
なお、上記した実施の形態は、以下の（１）乃至（１１）に説明するように適宜に変形することができる。
【０１０７】
（１）上記した実施の形態においては、折り返し信号判定装置７０を受信系終段側、即ち、屋内の収容かん内にある装置（例えば、無線装置１００の送受信増幅器である。）の受信入力接続ケーブル出力端子（図１における測定点Ｂ）に接続するようにしたが、これに限られるものではないことは勿論である。例えば、受信系最終段の装置（例えば、無線装置１００の変復調装置である。）の受信入力接続ケーブル出力端子に折り返し信号判定装置７０を接続するようにしてもよい（図２１参照）。このようにすると、無線装置１００からアンテナ１０６までの給電線の接続確認を一括して行うことができる。
【０１０８】
（２）上記した実施の形態においては、信号折り返し装置５０と測定用アンテナ１０とは接続ケーブル２９を介して着脱自在としたが、これに限られるものではないことは勿論である。例えば、信号折り返し装置５０と測定用アンテナ１０とを一体化してもよい（図２２参照）。
【０１０９】
（３）上記した実施の形態においては、測定用アンテナ１０の形状は扁平な長方体状としたが、これに限られるものではないことは勿論である。例えば、扁平な円板状体でもよいし、扁平な三角や四角あるいはそれ以上の多角形の板状体でもよい。また、測定用アンテナ１０の形状は、扁平でなくてもよい。
【０１１０】
（４）上記した実施の形態においては、測定用アンテナ１０の突部３０は、フレーム２４の上辺部２４ａと下辺部２４ｂとにそれぞれ一対ずつ設けたが、これに限られるものではないことは勿論である。例えば、３個以上設けてもよいし、また、上辺部２４ａならびに下辺部２４ｂ以外の箇所に設けてもよい。
【０１１１】
（５）上記した実施の形態においては、測定用アンテナ１０の突部３０にリベット３２を配設したが、これに限られるものではないことは勿論である。例えば、リベット３２を配設しなくてもよいし、また、リベット３２の代わりにローラー状のものを取り付けてもよい。
【０１１２】
（６）上記した実施の形態においては、測定用アンテナ１０のフレーム２４の一部を突出させて突部３０を形成するとともにリベット３２を配設して突出体を形成したが、これに限られるものではないことは勿論である。例えば、フレーム２４に所定の長さのピンを配設して突出体を形成するようにしてもよいし、フレーム２４に所定の直径のローラを配設して突出体を形成するようにしてもよい。
【０１１３】
（７）上記した実施の形態においては、測定用アンテナ１０のジョイント部１４が上下方向にのみ回動するようにしたが、これに限られるものではないことは勿論である。例えば、図２３乃至図２４に示すように、上下方向にのみ回動するジョイント部１４に代えて、全方向に回動可能なユニバーサルジョイント９２を用いるようにしてもよい。ユニバーサルジョイント９２を用いた場合でも、延長シャフト取り付け部１４ｂには延長シャフト４０を取り付け可能とすることができる（図２４参照）。
【０１１４】
（８）上記した実施の形態においては、信号折り返し装置５０のレベル判定器５０ｅによる判定結果が、送信系給電線の接続に誤接続があるという判定結果である場合には、作業者の手動操作により、発振器５０ｆにより受信系給電線を検査するための試験信号たる折り返し信号を生成して測定用アンテナ１０から送信することを可能にしたが、これに限られるものではないことは勿論である。例えば、信号折り返し装置５０のレベル判定器５０ｅによる判定結果が、送信系給電線の接続に誤接続があるという判定結果である場合には、信号折り返し装置５０が自動的に、発振器５０ｆにより受信系給電線を検査するための試験信号たる折り返し信号を生成して測定用アンテナ１０から送信するようにしてもよい。
【０１１５】
（９）上記した実施の形態においては、高所での作業時における測定用アンテナ１０の落下防止のために、延長シャフト取り付け部１４ｂにストラップ４２が取り付け可能となされているが、これに限られるものではないことは勿論である。例えば、図２５に示すように、ジョイント部１４のジョイント金具４３に穴４４を穿設し、この穴４４に作業者が適宜にカールコードなどを取り付けるようにして、測定用アンテナ１０の落下防止を図るようにしてもよい。
【０１１６】
（１０）上記した実施の形態においては、本発明を複数の小さなアンテナを内部に備えたアンテナ１０６を有する送受信系設備の給電線の接続確認に用いた場合について説明したが、これに限られるものではないことは勿論である。例えば、本発明は、複数の小さなアンテナを内部に備えたアンテナ１０６とは異なり、単一のアンテナを備えた送受信系設備の給電線の接続確認に用いることができるものであり、測定用アンテナ１０もこうした単一のアンテナに対して使用することができるものである。
【０１１７】
（１１）上記した実施の形態ならびに上記（１）乃至（１０）に示す変形例は、適宜に組み合わせるようにしてもよい。
【０１１８】
【発明の効果】
本発明は、以上説明したように構成されているので、給電線の接続確認を短時間で正確かつ容易に行うことができるようになるという優れた効果を奏する。
【図面の簡単な説明】
【図１】移動体通信用基地局の概略構成の一例を表すブロック構成図である。
【図２】本発明による送受信給電線接続判定装置を移動体通信用基地局における給電線の接続確認に用いた場合の一例のブロック構成図である。
【図３】測定用アンテナの正面斜視図である。
【図４】測定用アンテナの背面斜視図である。
【図５】ジョイント部にストラップを取り付けた状態における測定用アンテナの背面斜視図である。
【図６】レド−ムを一部破断して内部構造を示した測定用アンテナの正面図である。
【図７】コネクタカバーを一部破断して内部構造を示した測定用アンテナの背面図である。
【図８】測定用アンテナの左側面図である。
【図９】測定用アンテナの下面図である。
【図１０】測定用アンテナの図７のＸ−Ｘ線による概略断面構成図である。
【図１１】信号折り返し装置の外観正面斜視図である。
【図１２】信号折り返し装置のブロック構成図である。
【図１３】折り返し信号判定装置の外観正面斜視図である。
【図１４】折り返し信号判定装置の外観背面斜視図である。
【図１５】折り返し信号判定装置のブロック構成図である。
【図１６】延長シャフト取り付け部に延長シャフトを取り付けた測定用アンテナを用いた作業状態を示す説明図である。
【図１７】図１６のＡ矢視概略説明図である。
【図１８】送信系試験信号発生装置８０のブロック構成図である。
【図１９】本発明による送受信給電線接続判定装置を用いた給電線の接続確認の手法の他の実施の形態を示すブロック構成図である。
【図２０】本発明による送受信給電線接続判定装置を用いた給電線の接続確認の手法の他の実施の形態を示すブロック構成図である。
【図２１】本発明による送受信給電線接続判定装置を用いた給電線の接続確認の手法の他の実施の形態を示すブロック構成図である。
【図２２】信号折り返し装置と測定用アンテナとを一体化した装置のブロック構成図である。
【図２３】上下方向にのみ回動するジョイント部に代えて全方向に回動可能なユニバーサルジョイントを用いた測定用アンテナの背面斜視図である。
【図２４】延長シャフト取り付け部には延長シャフトを取り付けたユニバーサルジョイントを用いた測定用アンテナの背面斜視図である。
【図２５】ジョイント部のジョイント金具に穴を開けた測定用アンテナの背面斜視図である。
【符号の説明】
１０　　　測定用アンテナ
１２　　　ベース部材
１４　　　ジョイント部
２４　　　フレーム
３０　　　突出部
３２　　　リベット
５０　　　信号折り返し装置
７０　　　折り返し信号判定装置
９２　　　ユニバーサルジョイント
１００　　　無線装置
１０２　　　屋内装置
１０４　　　屋外装置
１０６　　　アンテナ
１０６ａ　　レドーム
２００ａ、２０２ａ　　送信系給電線
２００ｂ、２０２ｂ　　受信系給電線
２０４　　　送受信系共通給電線
【図１】
2004135232.tif 000003
【図２】
2004135232.tif 000004
【図３】
2004135232.tif 000005
【図４】
2004135232.tif 000006
【図５】
2004135232.tif 000007
【図６】
2004135232.tif 000008
【図７】
2004135232.tif 000009
【図８】
2004135232.tif 000010
【図９】
2004135232.tif 000011
【図１０】
2004135232.tif 000012
【図１１】
2004135232.tif 000013
【図１２】
2004135232.tif 000014
【図１３】
2004135232.tif 000015
【図１４】
2004135232.tif 000016
【図１５】
2004135232.tif 000017
【図１６】
2004135232.tif 000018
【図１７】
2004135232.tif 000019
【図１８】
2004135232.tif 000020
【図１９】
2004135232.tif 000021
【図２０】
2004135232.tif 000022
【図２１】
2004135232.tif 000023
【図２２】
2004135232.tif 000024
【図２３】
2004135232.tif 000025
【図２４】
2004135232.tif 000026
【図２５】
2004135232.tif 000027